(57)【特許請求の範囲】
【請求項１】
電子デバイスに給電する充放電電源と、
前記充放電電源が既に電子デバイスに対し給電を開始したか否かを検出し、検出の結果、前記充放電電源が既に前記電子デバイスに対し給電を開始している場合、所定の送信リードを介して前記電子デバイスに対しカスタム信号を送信する電池チップと
を備え、
前記電子デバイスは、前記カスタム信号が正確か否かを識別し、前記カスタム信号が正確でない場合、前記充放電電源の給電を切断するように制御し、
前記電池チップは、前記所定の送信リードと前記電子デバイスの間の接続が切断されたとき、前記電子デバイスに前記カスタム信号を送信することを停止し、
前記電池チップは発振回路、基準電圧生成回路及びコンパレータを有し、前記コンパレータの二つの入力端はそれぞれ前記発振回路と前記基準電圧生成回路に接続され、前記コンパレータの出力端は前記所定の送信リードに接続され、
前記発振回路は、前記充放電電源が電子デバイスに対し給電を始めた後、正弦波信号を生成し、
前記基準電圧生成回路は、所定の基準電圧を生成し、
前記コンパレータは、前記正弦波信号と前記所定の基準電圧とを比較してから、前記カスタム信号を生成することを特徴とする電池。
【請求項２】
電池に使用される電池保護方法であって、
前記電池が既に電子デバイスに対し給電を開始したか否かを検出するステップと、
検出の結果、前記電池が既に前記電子デバイスに対し給電を開始している場合、前記電池の所定の送信リードを介して前記電子デバイスに対しカスタム信号を送信するステップと、
前記電子デバイスは、前記カスタム信号が正確か否かを識別し、前記カスタム信号が正確でない場合、前記電池の給電を切断するように制御するステップと
を含み、
前記所定の送信リードと前記電子デバイスの間の接続が切断されたとき、前記電子デバイスに前記カスタム信号を送信することを停止するステップを更に含み、
前記電池の所定の送信リードを介して前記電子デバイスに対しカスタム信号を送信するステップは、
正弦波信号を生成するステップと、
所定の基準電圧を生成するステップと、
前記正弦波信号と前記所定の基準電圧とを比較してから、前記カスタム信号を生成するステップと、
前記電池の所定の送信リードを介して前記電子デバイスに対しカスタム信号を送信するステップと
を含むことを特徴とする電池保護方法。
【請求項３】
プロセッサに実行されることにより、請求項２に記載の電池保護方法を実現することを特徴とするプログラム。
【請求項４】
請求項３に記載のプログラムが記録された記録媒体。
【発明の詳細な説明】
【相互参照】
【０００１】
本願は出願番号が２０１３１０５１１９９１．５であって、出願日が２０１３年１０月２５日である中国特許出願に基づき優先権を主張し、当該中国特許出願のすべての内容を本願に援用する。
【技術分野】
【０００２】
本発明は給電技術分野に関わり、特に電池、電池保護方法、電池保護装置、電池保護システム、プログラム及びその記録媒体に関わる。
【背景技術】
【０００３】
モバイル端末の急速な発展に伴い、とりわけ携帯電話、タブレット等の電子デバイスが爆発的に伸びており、これらの電子デバイスが機能面でユーザのニーズを十分に満たしている状況において、電子デバイスの安全性の問題も次第に重視されるようになってきている。例えば、電池保護の問題は益々重要になってきている。
【０００４】
携帯電話を例にあげると、多くの製造メーカが模倣電池を製造販売しており、これらの模倣電池は純正電池と比べると、その最大のメリットは価格の安さにある。多くのユーザはお金を節約するために、一般的に、予備電池として模倣電池を購入し、又は、純正電池の故障後に模倣電池を購入して使用している。
【０００５】
発明者は本発明を実現していく過程で、関連技術には少なくとも以下のような欠点があることに気づいた。大多数の模倣電池の製造メーカはコストを下げるため、製造された模倣電池は純正電池に比べ質が非常に劣っている。また、一部の製造メーカは更に粗悪な模倣電池を作り、品質をごまかしてユーザを欺瞞している。ユーザは電池の見た目だけでは電池品質の良し悪しを判断することができない。模倣電池の使用時、質の比較的劣る模倣電池を使用した場合、携帯電話のマザーボードに損傷を与え、ひいては、電池又は携帯電話の爆発を引き起こし、人身の安全を脅かす虞がある。
【発明の概要】
【０００６】
上述した関連技術において模倣電池が引き起こす虞があるマイナス面の問題を解決するために、本発明の実施例は電池、電池保護方法、電池保護装置及び電池保護システムを提供する。これらの技術方案は以下の通りである。
【０００７】
本発明の実施例の第一の態様によれば、以下のような電池が提供される。該電池は、電子デバイスに給電する充放電電源と、前記充放電電源が既に電子デバイスに対し給電を開始したか否かを検出し、検出の結果、前記充放電電源が既に前記電子デバイスに対し給電を開始している場合、所定の送信リードを介して前記電子デバイスに対しカスタム信号を送信する電池チップとを備え、前記電子デバイスは、前記カスタム信号が正確か否かを識別し、前記カスタム信号が正確でない場合、前記充放電電源の給電を切断するように制御する。
【０００８】
第一の態様の第一の可能な実施形態において、前記電池チップは、前記所定の送信リードと前記電子デバイスの間の接続が切断されたとき、前記電子デバイスに前記カスタム信号を送信することを停止する。
【０００９】
第一の態様又は第一の態様の第一の可能な実施形態と組み合わせられる、第一の態様の第二の可能な実施形態においては、前記電池チップは発振回路、基準電圧生成回路及びコンパレータを有し、前記コンパレータの二つの入力端はそれぞれ前記発振回路と前記基準電圧生成回路に接続され、前記コンパレータの出力端は前記所定の送信リードに接続され、
前記発振回路は、前記充放電電源が電子デバイスに対し給電を始めた後、正弦波信号を生成し、
前記基準電圧生成回路は、所定の基準電圧を生成し、
前記コンパレータは、前記正弦波信号と前記所定の基準電圧とを比較してから、前記カスタム信号を生成する。
【００１０】
本発明の実施例の第二の態様によれば、以下のような電池に使用される電池保護方法が提供される。該電池保護方法は、
前記電池が既に電子デバイスに対し給電を開始したか否かを検出するステップと、
検出の結果、前記電池が既に前記電子デバイスに対し給電を開始している場合、前記電池の所定の送信リードを介して前記電子デバイスに対しカスタム信号を送信するステップと、
前記電子デバイスは、前記カスタム信号が正確か否かを識別し、前記カスタム信号が正確でない場合、前記電池の給電を切断するように制御するステップとを含んでいる。
【００１１】
第二の態様の第一の可能な実施形態において、前記方法は、
前記所定の送信リードと前記電子デバイスの間の接続が切断されたとき、前記電子デバイスに前記カスタム信号を送信することを停止するステップを更に含んでいる。
【００１２】
第二の態様又は第二の態様の第一の可能な実施形態と組み合わせられる、第二方面の第二種可能な実施形態においては、前記所定の送信リードを介して前記電子デバイスに対しカスタム信号を送信するステップは、
正弦波信号を生成するステップと、
所定の基準電圧を生成するステップと、
前記正弦波信号と前記所定の基準電圧とを比較してから、前記カスタム信号を生成するステップと、
前記電池の所定の送信リードを介して前記電子デバイスに対しカスタム信号を送信するステップとを含んでいる。
【００１３】
本発明の実施例の第三の態様によれば、以下のような電子デバイスにおいて使用される電池保護方法が提供される。該電池保護方法は、
所定の受信リードを介して前記電池から送信されるカスタム信号を受信するステップと、
前記カスタム信号が正確か否かを識別するステップと、
前記カスタム信号が正確でない場合、前記電子デバイスを制御して前記電池の給電を切断するステップを含んでいる。
【００１４】
第三の態様の第一の可能な実施形態において、前記方法は、
前記電子デバイスが起動されて初期化が完了した後の時間帯である所定時間帯において、前記電池から送信されるカスタム信号を受信したか否かを検出するステップと、
前記所定時間帯において、前記電池から送信されるカスタム信号を受信しなかった場合、前記電子デバイスを制御して前記電池の給電を切断するステップを実行するステップと、
前記所定時間帯において、前記電池から送信されるカスタム信号を受信した場合、前記カスタム信号が正確か否かを識別するステップを実行するステップとを更に含んでいる。
【００１５】
第三の態様又は第三の態様の第一の可能な実施形態と組み合わせられる、第三の態様の第二の可能な実施形態において、前記方法は、
前記カスタム信号が正確である場合、前記電池の給電を保持しつつ、前記所定の受信リードと前記電池の所定の送信リードとの間の接続を切断するステップをことを更に含んでいる。
【００１６】
本発明の実施例の第四の態様によれば、以下のような電池保護装置を提供される。該電池保護装置は、
所定の受信リードを介して電池から送信されるカスタム信号を受信する信号受信モジュールと、
前記カスタム信号が正確か否かを識別する信号識別モジュールと、
前記カスタム信号が正確でない場合、前記電子デバイスを制御して前記電池の給電を切断する給電切断モジュールとを備えている。
【００１７】
第四の態様の第一の可能な実施形態において、前記電池保護装置は、
前記電子デバイスが起動されて初期化を完了した後の時間帯である所定時間帯において、前記電池から送信されるカスタム信号を受信したか否かを検出する信号検出モジュールと、
前記所定時間帯において、前記電池から送信されるカスタム信号を受信しなかった場合、前記給電切断モジュールが操作を実行するようにトリガーする第一実行モジュールと、
前記所定時間帯において、前記電池から送信されるカスタム信号を受信した場合、前記信号識別モジュールが操作を実行するようにトリガーする第二実行モジュールとを更に備える。
【００１８】
第四の態様又は第四の態様の第一の可能な実施形態と組み合わせられる、第四の態様の第二の可能な実施形態において、前記電池保護装置は、
前記カスタム信号が正確である場合、前記電池の給電を保持しつつ、前記所定の受信リードと前記電池の所定の送信リードとの間の接続を切断するリード切断モジュールを更に備えている。
【００１９】
本発明の実施例の第五の態様によれば、以下のような電子デバイスが提供される。該電子デバイスは、例えば、第四の態様及び第四の態様の各種可能な実施形態のいずれかの電池保護装置等を備えている。
【００２０】
本発明の実施例の第六の態様によれば、以下の電池保護システムが提供される。該システムは、電池と電子デバイスを備え、
前記電池は、例えば、第一の態様及び第一の態様の各種可能な実施形態のいずれかの電池を含み、
前記電子デバイスは、例えば、第五の態様の電子デバイスを含んでいる。
【００２１】
本発明の実施例の第七の態様によれば、以下の電子デバイスが提供される。該電子デバイスは、
一つ又は複数のプロセッサと、
メモリと、
前記メモリの中に記憶され、前記一つ又は複数のプロセッサにより実行されるように配置される一つ又は複数のモジュールと、を備え、
前記一つ又は複数のモジュールは
所定の受信リードを介して電池から送信されるカスタム信号を受信する機能と、
前記カスタム信号が正確か否かを識別する機能と、
前記カスタム信号が正確でない場合、前記電子デバイスを制御して前記電池の給電を切断する機能と、を有している。
【００２２】
本発明の実施例の第八の態様によれば、プロセッサに実行されることにより、上記電池保護方法を実現するプログラムが提供される。
【００２３】
本発明の実施例の第九の態様によれば、上記プログラムが記録された記録媒体が提供される。
【００２４】
本発明の実施例が提供する技術方案は下記のような有益な効果を有する。
【００２５】
電池チップは、電池が電子デバイスに対し給電を開始した後、所定の送信リードを介して電子デバイスに対しカスタム信号を送信する。ここで、カスタム信号は、電子デバイスが該カスタム信号が正確か否かを識別するに使用される。そして、カスタム信号が正確でない場合、電池の給電を切断するように制御する。これにより、関連技術において模倣電池が引き起こすマイナス面の問題を解決し、使用される電池が基準に合う純正電池であることが保障できる状況でのみ、電池の給電を保持し、同時に電池と電子デバイスの安全性の効果を高めている。
【００２６】
以上の一般的な説明及び以下の詳細な説明は単なる例示に過ぎず、本発明を限定するものではないことを理解すべきである。
【図面の簡単な説明】
【００２７】
ここでの図面は明細書に取り込まれて本明細書の一部を構成し、本発明に合致する実施例を示し、明細書と共に本発明の原理の解釈に用いられる。
【００２８】
図１は例示的な実施例が示す電池保護システムの構成図である。
【００２９】
図２は例示的な実施例が示す電池保護システムの構成図である。
【００３０】
図３は例示的な実施例が示す電池保護方法のフローチャートである。
【００３１】
図４は例示的な実施例が示す電池保護方法のフローチャートである。
【００３２】
図５は例示的な実施例が示す電池保護装置の構造ブロック図である。
【００３３】
図６は例示的な実施例が示す電池保護装置の構造ブロック図である。
【００３４】
図７は例示的な実施例が示す電池保護システムの構造ブロック図である。
【００３５】
図８は例示的な実施例が示す電子デバイスの構成図である。
【発明を実施するための形態】
【００３６】
ここでは、例示的な実施例について詳細な説明を行う。このような例示は図面に表される。以下における説明が図面に関わるとき、特に示さない限り、異なる図面における同じ数字は同じ又は類似の要素を表す。また、以下の例示的な実施例において説明される実施形態は本発明と一致する全ての実施形態を代表するものではなく、これらは特許請求の範囲において詳述した、本発明の一部と相一致する装置と方法の例に過ぎない。
【００３７】
図１は、本発明の一つの例示的な実施例が提供する電池保護システムの構成図である。該電池保護システムは電池１０と電子デバイス２０を備えている。
【００３８】
電池１０は充放電電源１１０と電池チップ１２０を有している。
【００３９】
充放電電源１１０は電子デバイス２０に対し給電して、電子デバイス２０の正常な動作を保障する。
【００４０】
電池チップ１２０は、充放電電源１１０が既に電子デバイス２０に対し給電を開始したか否かを検出し、検出の結果、充放電電源１１０が既に前記電子デバイス２０に対し給電を開始している場合、所定の送信リードを介して電子デバイス２０に対しカスタム信号を送信する。
【００４１】
電池１０と電子デバイス２０の間は所定のリードによって接続される。
【００４２】
電子デバイス２０は、電池１０から送信されるカスタム信号が正確か否かを識別して、カスタム信号が正確でない場合、充放電電源１１０の給電を制御して切断する。
【００４３】
以上をまとめると、本実施例が提供する電池保護システムは、電池により電子デバイスに対しカスタム信号を送信する。ここで、カスタム信号は、電子デバイスが該カスタム信号が正確か否かを識別するのに使用される。そして、カスタム信号が正確でない場合、電池の給電を切断するように制御する。これにより、関連技術において模倣電池が引き起こすマイナス面の問題を解決し、使用される電池が基準に合う純正電池であることが保障できる状況でのみ、電池の給電を保持し、同時に電池と電子デバイスの安全性の効果を高めている。
【００４４】
図２は、本発明のもう一つの例示的な実施例が提供する電池保護システムの構成図である。該電池保護システムは電池１０と電子デバイス２０とを備えている。
【００４５】
通常、電池１０は、電源正極D+、電源負極D-、温度検出リードT及び識別リードIDの四つのリードを備えている。電源正極D+と電源負極D-はそれぞれ電子デバイス２０の正負極に接続されて給電回路を構成し、電子デバイス２０に電気エネルギーを提供し、電子デバイス２０の正常な動作を保障する。識別リードIDは電子デバイス２０のGPIO（General Purpose Input Output，汎用入力／出力）リードに接続され、電子デバイス２０に対しカスタム信号を送信する。
【００４６】
電池１０は充放電電源１１０と電池チップ１２０を備えている。
【００４７】
充放電電源１１０は電子デバイス２０に対し給電し、電子デバイス２０の正常な動作を保障する。
【００４８】
電池チップ１２０は、充放電電源１１０が既に電子デバイス２０に対し給電を開始したか否かを検出するために使用され、検出の結果、充放電電源１１０が既に前記電子デバイス２０に対し給電を開始している場合、所定の送信リードを介して電子デバイス２０に対しカスタム信号を送信する。本実施例においては、所定の送信リードを識別リードIDとして例に挙げ説明したが、これについては具体的な限定をしない。
【００４９】
電池チップ１２０は給電検出回路（図示せず）を備えていてもよく、充放電電源１１０が既に電子デバイス２０に対し給電を開始したか否かを検出する。
【００５０】
また、電池チップ１２０は、更に発振回路１２２、基準電圧生成回路１２４及びコンパレータ１２６を備えている。
【００５１】
電池チップ１２０内部の発振回路１２２は正弦波信号を生成する。基準電圧生成回路１２４は所定の基準電圧を生成する。正弦波信号と所定の基準電圧はコンパレータ１２６によりカスタム信号として出力され、例えば、カスタム信号が「０１０１０１００１１」であるカスタムシーケンス信号とされる。具体的に説明すると、コンパレータ１２６は二つの入力端と一つの出力端を備えており、コンパレータ１２６の二つの入力端はそれぞれ発振回路１２２及び基準電圧生成回路１２４と接続され、コンパレータ１２６の出力端は所定の送信リードに接続される。コンパレータ１２６は正弦波信号と所定の基準電圧とを比較してから、カスタム信号を生成する。例えば、正弦波信号の電圧値が所定の基準電圧より大きい場合、出力は高レベルであり、正弦波信号の電圧値が所定の基準電圧以下の場合、出力は低レベルである。発振回路１２２が生成する正弦波信号の周波数、振幅及びコンパレータ１２６が生成する所定の基準電圧はいずれも実際のニーズに応じて定めることができる。
【００５２】
また、基準電圧生成回路１２４が生成した所定の基準電圧は、時間領域において一定の電圧値であってもよく、又は、時間領域において連続的に変化する電圧値であってもよい。異なる所定の基準電圧がコンパレータ１２６を経て出力されるカスタム信号は全て異なる。所定の基準電圧がある一定の電圧値である場合、生成されたカスタム信号は「１０１０１」であってもよく、所定の基準電圧が連続的に変化する電圧値である場合、生成されたカスタム信号は「１１１０１」であってもよい。
【００５３】
コンパレータ１２６が出力したカスタム信号は、電池１０の所定の送信リード、即ち識別リードID及び電子デバイス２０の所定の受信リード、又即ちGPIOリードを経て、電子デバイス２０のプロセッサ２１０により受信される。
【００５４】
電子デバイス２０はプロセッサ２１０と所定の受信リードとを備えている。プロセッサ２１０は、電池１０から送信されるカスタム信号が正確か否かを識別して、カスタム信号が正確でない場合、電池１０の給電を切断する。
【００５５】
例えば、電子デバイス２０のプロセッサ２１０に予め「１１１１１１」のシーケンス信号を記憶させることができる。電子デバイス２０が所定の受信リードを介して電池１０から送信された「０１０１０１００１１」のカスタム信号を受信した場合、予め記憶された「１１１１１１」と照合し不一致である時、電池１０から送信されるカスタム信号が正確でないことを表す。そして、プロセッサ２１０は電子デバイス２０を制御して電池１０の給電を切断することによって、給電の安全を保障する。具体的には、電子デバイス２０側の給電回路にスイッチを設置することができ、カスタム信号が正確でないことをプロセッサ２１０が識別し発見した場合、給電回路のスイッチが切られるように制御することによって、電池１０の給電の切断を実現する。電子デバイス２０が所定の受信リードを介して、電池１０から送信された「１１１１１１」のカスタム信号を受信した場合のみ、プロセッサ２１０は電池１０の給電を保持する。
【００５６】
通常、同じ仕様で、且つ同じモデルの電池は同じカスタム信号を送信するように設置され、異なる仕様又は異なるモデルの電池は異なるカスタム信号を送信するように設置される。電子デバイス２０のプロセッサ２１０には二つ又は二つ以上のカスタム信号を予め記憶させることができ、電子デバイス２０が、電池１０から送信されるカスタム信号を受信した際、該カスタム信号が予め記憶された二つ又は二つ以上のカスタム信号の中の一つと一致すれば、検証を通過することができる。これにより、電子デバイス２０は異なる仕様又は異なるモデルの電池のいずれもを互換性よく使用することができる。
【００５７】
ここで、説明しておくべきことは、電池１０の電気エネルギーを節約して電池１０の使用時間を延ばすために、電子デバイス２０のプロセッサ２１０が、電池１０から送信されるカスタム信号を識別し、該カスタム信号が正確であることを確定した後、プロセッサ２１０は電池１０のカスタム信号の送信が停止されるように、所定の受信リードと電池１０の所定の送信リードの間の接続を切断することができる。第一の可能な実施形態において、電子デバイス２０の所定の受信リードと電池１０の所定の送信リードの間の電気接続を切断する。または、第二の可能な実施形態において、電子デバイス２０側のカスタム信号を受信する回路に一つのスイッチを設置し、カスタム信号が正確であると確定したら、該スイッチが切れるように制御する。これに対応して、電池１０の電池チップ１２０は所定の送信リードと電子デバイス２０の間の接続が切れたことを検知したら、電子デバイス２０に対するカスタム信号の送信を停止する。
【００５８】
更に説明しておくべきことは、カスタム信号の送信機能が設置されていない一部の電池については、これらの電池が電子デバイスに給電し、悪い結果を引き起こす事態を避けるために、電子デバイスを起動して初期化が完了した後のある時間帯、即ち、所定時間帯において、電子デバイスのプロセッサは該所定時間帯内に電池から送信されるカスタム信号を受信したか否かを検出する。所定時間帯内に、電池から送信されるカスタム信号を受信されなかった場合、電子デバイスのプロセッサは電子デバイスを制御して電池の給電を切断する。所定時間帯内に、電池から送信されるカスタム信号を受信された場合、電子デバイスのプロセッサは該カスタム信号が正確か否かを識別する。
【００５９】
以上をまとめると、本実施例が提供する電池保護システムは、電池チップの所定の送信リードを介して電子デバイスにカスタム信号を送信する。ここで、カスタム信号は、電子デバイスが該カスタム信号が正確か否かを識別するために使用される。そして、カスタム信号が正確でない場合、電池の給電を切断するように制御する。これにより、関連技術において模倣電池が引き起こすマイナス面の問題を解決し、使用される電池が基準に合う純正電池であることが保障できる状況でのみ、電池の給電を保持し、同時に電池と電子デバイスの安全性の効果を高めている。
【００６０】
本実施例が提供する電池保護システムは、また、電子デバイスのプロセッサが、カスタム信号が正確であると検証した状況下で、所定の受信リードと電池の所定の送信リードの間の接続を切断することによって、電池の電気エネルギーを節約し、電池の使用時間を延ばす効果を得られる。同時に、本実施例が提供する電池保護システムは、更に、所定時間帯内に、電池から送信されるカスタム信号を受信したか否かを検出し、所定時間帯内に、電池から送信されるカスタム信号を受信しなかった場合、電子デバイスのプロセッサは電子デバイスを制御して電池の給電を切断することにより、カスタム信号の送信機能が設置されていない一部の電池が電子デバイスに給電して悪い結果を引き起こすという事態を回避している。
【００６１】
図３は、本発明の一つの例示的な実施例が提供する電池保護方法のフローチャートである。該電池保護方法は図１又は図２に示される電池保護システムに応用される。該電池保護方法は以下のようなステップを含むことができる。
【００６２】
まず、ステップ２０２において、電池が電子デバイスに対して既に給電を開始したか否かを検出する。
【００６３】
電池は、電池自体が既に電子デバイスに対して給電を開始したか否かを検出する。
【００６４】
また、ステップ２０４において、検出の結果、電池が既に電子デバイスに対し給電を開始している場合、所定の送信リードを介して電子デバイスに対してカスタム信号を送信する。
【００６５】
検出の結果、電池が既に電子デバイスに対し給電を開始している場合、電池は所定の送信リードを介して電子デバイスに対してカスタム信号を送信する。
【００６６】
これに応じて、電子デバイスは所定の受信リードを介して、電池から送信されるカスタム信号を受信する。
【００６７】
そして、ステップ２０６において、カスタム信号が正確か否かを識別する。
【００６８】
電子デバイスはカスタム信号が正確か否かを識別する。
【００６９】
そして、ステップ２０８において、カスタム信号が正確でない場合、電子デバイスを制御して電池の給電を切断する。
【００７０】
カスタム信号が正確でない場合、電子デバイスを制御して電池の給電を切断する。
【００７１】
ここで、ステップ２０２乃至ステップ２０４は電池側の電池保護方法を単独で実現することができる。また、ステップ２０６乃至ステップ２０８は電子デバイス側の電池保護方法を単独で実現することができる。
【００７２】
以上をまとめると、本実施例が提供する電池保護方法は、電池チップの所定の送信リードを介して電子デバイスにカスタム信号を送信し、かつ、電子デバイスの所定の受信リードを介して電池から送信されるカスタム信号を受信する。そして、電子デバイスは、該カスタム信号が正確か否かを識別し、カスタム信号が正確でない場合、電池の給電を切断するように制御する。これにより、関連技術において模倣電池が引き起こすマイナス面の問題を解決し、使用される電池が基準に合う純正電池であることが保障できる状況でのみ、電池の給電を保持し、同時に電池と電子デバイスの安全性の効果を高めている。
【００７３】
図４は、本発明のもう一つの例示的な実施例が提供する電池保護方法の方法フローチャートである。該電池保護方法は図１又は図２に示される電池保護システムに応用される。該電池保護方法は以下のようなステップを含むことができる。
【００７４】
まず、ステップ３０１において、電池が電子デバイスに対し既に給電を開始したか否かを検出する。
【００７５】
電池は、電池自体が既に電子デバイスに対して給電を開始したか否かを検出する。電池内部には、電池の充放電電源が電子デバイスに対して既に給電を開始したか否かを検出する給電検出回路が設置されていてもよい。
【００７６】
また、ステップ３０２において、検出の結果、電池が既に電子デバイスに対し給電を開始している場合、正弦波信号を生成する。
【００７７】
検出の結果、電池が既に電子デバイスに対し給電を開始している場合、電池は正弦波信号を生成する。電池の電池チップ内部には発振回路が設置されており、発振回路は正弦波信号を生成する。電池が電子デバイスに対して給電を開始した後、即ち、電池の電源正極D+と電源負極D-がそれぞれ電子デバイスの正負極に接続されて給電回路を構成した後、電池チップは発振回路により正弦波信号を生成する。
【００７８】
そして、ステップ３０３において、所定の基準電圧を生成する。
【００７９】
電池は所定の基準電圧を生成する。電池の電池チップ内部には更に基準電圧生成回路が設置され、基準電圧生成回路は所定の基準電圧を生成する。ここで、例えば、所定の基準電圧は0である。
【００８０】
そして、ステップ３０４において、正弦波信号と所定の基準電圧とを比較してから、カスタム信号を生成する。
【００８１】
電池は正弦波信号と所定の基準電圧とを比較してから、カスタム信号を生成する。電池の電池チップ内部には更にコンパレータが設置されており、コンパレータは正弦波信号と所定の基準電圧とを比較してから、カスタム信号を生成する。カスタム信号は例えば「０１０１０１００１１」のような、「０」と「１」により構成されたカスタムシーケンス信号であってもよい。通常、同じ仕様で且つ同じモデルの電池は同じカスタム信号を生成するように設置される。
【００８２】
例えば、正弦波信号の電圧値が所定の基準電圧より大きい場合、出力は高レベルであり、正弦波信号の電圧値が所定の基準電圧以下の場合、出力は低レベルである。発振回路１２２が生成する正弦波信号の周波数、振幅及びコンパレータ１２６が生成する所定の基準電圧はいずれも実際のニーズに応じて定めることができ、所定の基準電圧はリアルタイムに変化する電圧であってもよい。
【００８３】
そして、ステップ３０５において、電池の所定の送信リードを介して電子デバイスに対してカスタム信号を送信する。
【００８４】
電池は、電池自体の所定の送信リードを介して電子デバイスに対してカスタム信号を送信する。電池の電池チップは電池の識別リードIDを介して電子デバイスに対してカスタム信号を送信することができ、電子デバイスのプロセッサはGPIOリードを介して電池から送信されるカスタム信号を受信することができる。
【００８５】
これに対応して、電子デバイスは所定の受信リードを介して電池から送信されるカスタム信号を受信する。該カスタム信号は、電池が電子デバイスに対して給電を始めた後、送信されたものである。
【００８６】
そして、ステップ３０６において、カスタム信号が正確であるか否かを識別する。
【００８７】
電子デバイスはカスタム信号が正確か否かを識別する。例えば、電子デバイスのプロセッサに予め一つの「１１１１１１」のシーケンス信号を記憶させることができる。電子デバイスが所定の受信リードを介して電池から送信された「０１０１０１００１１」のカスタム信号を受信した場合、予め記憶させた「１１１１１１」と照合し不一致である時、電池から送信されるカスタム信号が正確でないことを表す。
【００８８】
そして、ステップ３０７において、カスタム信号が正確でない場合、電池の給電を切断する。
【００８９】
カスタム信号が正確でない場合、電子デバイスは電池の給電を切断する。カスタム信号が正確でない場合、電子デバイスのプロセッサは電池の給電を切断し、給電の安全を保障する。具体的には、電子デバイス側の給電回路に一つのスイッチを設置することができ、カスタム信号が正確でないとプロセッサが識別し発見した場合、給電回路のスイッチが切れるように制御することによって、電池の給電の切断を実現する。
【００９０】
そして、ステップ３０８において、カスタム信号が正確である場合、電池の給電を保持しつつ、所定の受信リードと電池の所定の送信リードの間の接続を切断する。
【００９１】
カスタム信号が正確な場合、電子デバイスは電池の給電を保持しつつ、所定の受信リードと電池の所定の送信リードの間の接続を切断する。電子デバイスが所定の受信リードを通じ、電池から送信された「１１１１１１」のカスタム信号を受信した場合、予め記憶させた「１１１１１１」と照合し一致する時、電池から送信されるカスタム信号が正確であることを表す。この場合、電子デバイスのプロセッサは電池の給電を保持しつつ、所定の受信リードと電池の所定の送信リードの間の接続を切断する。カスタム信号が正確であることを検証した後、電池の電気エネルギーを節約して電池の使用時間を延ばすために、電子デバイスは所定の受信リードと電池の所定の送信リードの間の接続を切断することができる。
【００９２】
ここで、第一の可能な実施形態において、電子デバイスの所定の受信リードと電池の所定の送信リードとの間の電気接続を切断する。または、第二の可能な実施形態において、電子デバイス側のカスタム信号を受信する回路に一つのスイッチを設置し、カスタム信号が正確であると確定したら、該スイッチが切れるように制御する。
【００９３】
また、ステップ３０９において、所定の送信リードと電子デバイスの間の接続が切断されたとき、電子デバイスに対するカスタム信号の送信を停止する。
【００９４】
所定の送信リードと電子デバイスの間の接続が切断されたとき、電池は電子デバイスに対するカスタム信号の送信を停止する。所定の送信リードと電子デバイスの間の接続が切断されたとき、電池のカスタム信号を送信する回路が切れ、電池は電子デバイスに対するカスタム信号の送信を停止する。
【００９５】
ここで、説明しておくべきことは、カスタム信号の送信機能が設置されていない一部の電池に対しては、これらの電池が電子デバイスに給電し、悪い結果を引き起こす事態を避けるために、電子デバイスを起動して初期化が完了した後のある時間帯、即ち、所定時間帯において、電子デバイスのプロセッサは該所定時間帯内に電池から送信されるカスタム信号を受信したか否かを検出する。所定時間帯内に、電池から送信されるカスタム信号を受信しなかった場合、電子デバイスのプロセッサは電子デバイスを制御して電池の給電を切断する。所定時間帯内に、電池から送信されるカスタム信号を受信した場合、電子デバイスのプロセッサは該カスタム信号が正確か否かを識別する。
【００９６】
上述したステップ３０１乃至ステップ３０５及びステップ３０９は、電池側の電池保護方法を単独で実現することができる。また、上述したステップ３０６乃至ステップ３０８は電子デバイス側の電池保護方法を単独で実現することができる。
【００９７】
以上をまとめると、本実施例が提供する電池保護方法は、電池チップの所定の送信リードを介して電子デバイスにカスタム信号を送信し、かつ、電子デバイスの所定の受信リードを介して電池から送信されるカスタム信号を受信する。そして、電子デバイスは、該カスタム信号が正確か否かを識別し、カスタム信号が正確でない場合、電池の給電を切断するように制御する。これにより、関連技術において模倣電池が引き起こすマイナス面の問題を解決し、使用される電池が基準に合う純正電池であることが保障できる状況でのみ、電池の給電を保持し、同時に電池と電子デバイスの安全性の効果を高めている。
【００９８】
また、本実施例が提供する電池保護方法は、更に、電子デバイスのプロセッサが、カスタム信号が正確であることを検証した状況下で、所定の受信リードと電池の所定の送信リードの間の接続を切断することによって、電池の電気エネルギーを節約し、電池の使用時間を延ばす効果を得られる。同時に、本実施例が提供する電池保護方法は、更に、所定時間帯内に、電池から送信されるカスタム信号を受信したか否かを検出し、所定時間帯内に、電池から送信されるカスタム信号を受信しなかった場合、電子デバイスのプロセッサは電子デバイスを制御して電池の給電を切断することにより、カスタム信号の送信機能が設置されていない一部の電池が電子デバイスに給電して悪い結果を引き起こす事態を回避している。
【００９９】
下記は本発明の装置の実施例であり、本発明の方法の実施例を実行することができる。本発明の装置の実施例において開示されていない細部については、本発明の方法の実施例を参照すること。
【０１００】
図５は、本発明の一つの例示的な実施例が提供する電池保護装置の構造ブロック図である。該電池保護装置はソフトウェア、ハードウェア又は両者の組み合わせにより電子デバイスのプロセッサの全部又は一部分として実現することができる。該電池保護装置は、信号受信モジュール４１０、信号識別モジュール４２０及び給電切断モジュール４３０を備えることができる。
【０１０１】
信号受信モジュール４１０は、所定の受信リードを介して電池から送信されるカスタム信号を受信する。
【０１０２】
また、信号識別モジュール４２０は、前記カスタム信号が正確か否かを識別する。
【０１０３】
また、給電切断モジュール４３０は、前記カスタム信号が正確でない場合、前記電子デバイスを制御して前記電池の給電を切断する。
【０１０４】
以上をまとめると、本実施例が提供する電池保護装置は、所定の受信リードを介して電池から送信されるカスタム信号を受信し、該カスタム信号が正確か否かを識別し、カスタム信号が正確でない場合、電池の給電を切断するように制御する。これにより、関連技術において模倣電池が引き起こすマイナス面の問題を解決し、使用される電池が基準に合う純正電池であることが保障できる状況でのみ、電池の給電を保持し、同時に電池と電子デバイスの安全性の効果を高めている。
【０１０５】
図６は、本発明のもう一つの例示的な実施例が提供する電池保護装置の構造ブロック図である。該電池保護装置はソフトウェア、ハードウェア又は両者の組み合わせにより電子デバイスのプロセッサの全部又は一部分として実現することができる。該電池保護装置は信号検出モジュール４０１、第一実行モジュール４０２、第二実行モジュール４０３、信号受信モジュール４１０、信号識別モジュール４２０、給電切断モジュール４３０及びリード切離モジュール４４０を備えることができる。
【０１０６】
信号検出モジュール４０１は、所定時間帯内に、前記電池から送信されるカスタム信号を受信したか否かを検出する。ここで、前記所定時間帯は前記電子デバイスを起動して初期化が完了した後のある時間帯を指す。
【０１０７】
また、第一実行モジュール４０２は、前記所定時間帯内に、前記電池から送信されるカスタム信号を受信しなかった場合、前記給電切断モジュール４３０が操作を実行するようにトリガーさせる。
【０１０８】
また、第二実行モジュール４０３は、前記所定時間帯内に、前記電池から送信されるカスタム信号を受信した場合、前記信号識別モジュール４２０が操作を実行するようにトリガーさせる。
【０１０９】
また、信号受信モジュール４１０は、所定の受信リードを介して電池から送信されるカスタム信号を受信する。
【０１１０】
また、信号識別モジュール４２０は、前記カスタム信号が正確か否かを識別する。
【０１１１】
また、給電切断モジュール４３０は、前記カスタム信号が正確でない場合、前記電子デバイスを制御して前記電池の給電を切断する。
【０１１２】
リード切離モジュール４４０は、前記カスタム信号が正確である場合、前記電池の給電を保持しつつ、前記所定の受信リードと前記電池の所定の送信リードの間の接続を切断する。
【０１１３】
以上をまとめると、本実施例が提供する電池保護装置は、所定の受信リードを介して電池から送信されるカスタム信号を受信し、該カスタム信号が正確か否かを識別し、カスタム信号が正確でない場合、電池の給電を切断するように制御する。これにより、関連技術において模倣電池が引き起こすマイナス面の問題を解決し、使用される電池が基準に合う純正電池であることが保障できる状況でのみ、電池の給電を保持し、同時に電池と電子デバイスの安全性の効果を高めている。
【０１１４】
また、本実施例が提供する電池保護装置は、更に、電子デバイスのプロセッサが、カスタム信号が正確であることを検証した状況下で、所定の受信リードと電池の所定の送信リードの間の接続を切断することによって、電池の電気エネルギーを節約し、電池の使用時間を延ばす効果を得られる。同時に、本実施例が提供する電池保護装置は、更に、所定時間帯内に、電池から送信されるカスタム信号を受信したか否かを検出し、所定時間帯内に、電池から送信されるカスタム信号を受信しなかった場合、電子デバイスのプロセッサは電子デバイスを制御して電池の給電を切断することにより、カスタム信号生成回路が設置されていない一部の電池が電子デバイスに給電して悪い結果を引き起こすという事態を回避している。
【０１１５】
図７は、本発明の一つの例示的な実施例が提供する電池保護システムの構造ブロック図である。該電池保護システムは電池６１０と電子デバイス６２０を備えている。電子デバイス６２０は図５又は図６に示す電池保護装置を備えている。
【０１１６】
図８は、本発明の一つの例示的な実施例が示した電子デバイスの構成図である。該電子デバイスは上述した実施例で提供する電池保護方法の実行に使用されることができる。
【０１１７】
電子デバイス７００は、通信ユニット７１０、コンピューターが読み取り可能な記録媒体を一つ又は複数含むメモリ７２０、入力ユニット７３０、表示ユニット７４０、センサー７５０、オーディオ回路７６０、ＷｉＦｉ（ｗｉｒｅｌｅｓｓｆｉｄｅｌｉｔｙ）モジュール（無線通信ユニット）７７０、一つ又は複数の処理コアを有するプロセッサ７８０、及び電源７９０などの部品を含む。当業者は、図面に示す電子デバイスの構成は電子デバイスに対する限定ではなく、当該電子デバイスは、図示した部品より多い数、または少ない数の部品を備えてもよく、或いは、幾つかの部品の組み合わせ、または異なる部品配置を有してもよい、ことを理解すべきである。
【０１１８】
ここで、通信ユニット７１０は、情報の送受信または通話中において、信号を受信及び送信するためのものである。当該通信ユニット７１０は、ＲＦ（Ｒａｄｉｏ  Ｆｒｅｑｕｅｎｃｙ）回路、ルーター、モデム等のネットワーク通信装置であってもよい。特に、通信ユニット７１０がＲＦ回路である場合、基地局からの下り情報を受信した後、１つ又は複数のプロセッサ７８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（ＬｏｗＮｏｉｓｅ Ａｍｐｌｉｆｉｅｒ、ローノイズアンプ）、デュプレクサ等を含むが、これらに限らない。なお、通信ユニット７１０は、無線通信でネットワーク、及び他の装置と通信することができる。上記無線通信として、ＧＳＭ（登録商標）（ＧｌｏｂａｌＳｙｓｔｅｍ ｏｆ Ｍｏｂｉｌｅ ｃｏｍｍｕｎｉｃａｔｉｏｎ）、ＧＰＲＳ（Ｇｅｎｅｒａｌ Ｐａｃｋｅｔ Ｒａｄｉｏ Ｓｅｒｖｉｃｅ）、ＣＤＭＡ（ＣｏｄｅＤｉｖｉｓｉｏｎ Ｍｕｌｔｉｐｌｅ Ａｃｃｅｓｓ）、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）、ＬＴＥ（ＬｏｎｇＴｅｒｍ Ｅｖｏｌｕｔｉｏｎ）、電子メール、ＳＭＳ（Ｓｈｏｒｔ  ＭｅｓｓａｇｉｎｇＳｅｒｖｉｃｅ）等を含む任意の通信規格またはプロトコルを利用してもよいが、これらに限らない。メモリ７２０は、ソフトウェアプログラム及びモジュールを格納するためのものであり、プロセッサ７８０は、メモリ７２０に格納されたソフトウェアプログラム及びモジュールを実行することで、各種機能のアプリ及びデータ処理を実施する。メモリ７２０には、主に、プログラム格納領域とデータ格納領域を有する。プログラム格納領域には、ＯＳ、少なくとも１つの機能を実行するアプリ（例えば、音声再生機能、画像再生機能等）等が格納される。データ格納領域には、電子デバイス７００の使用により作成されたデータ（例えば、オーディオデータ、電話帳等）等が格納される。また、メモリ７２０は、高速ＲＡＭ（ＲａｎｄｏｍＡｃｃｅｓｓ Ｍｅｍｏｒｙ）を含んでもよく、更に、例えば少なくとも１つの磁気ディスクメモリ、フラッシュメモリなどの不揮発性メモリ、或いは他の揮発性のＳＳＤ（ｓｏｌｉｄｓｔａｔｅ ｄｒｉｖｅ）メモリを含んでもよい。また、メモリ７２０は、プロセッサ７８０及び入力ユニット７３０がメモリ７２０にアクセスできるように、メモリ制御器を更に含んでもよい。
【０１１９】
入力ユニット７３０は、数字或いはキャラクター情報の入力を受け付け、及び、ユーザ設定及び機能制御に関するキーボード、マウス、ジョイスティック、光学ボールやトラックボールにより信号入力を発生させるためのものである。入力ユニット７３０は、タッチセンシティブ表面７３１及び他の入力装置７３２を含んでもよい。タッチセンシティブ表面７３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面７３１上やタッチセンシティブ表面７３１付近に対して行う操作）を収集するとともに、予め設定されたプログラムにしたがって、関連する接続装置を駆動する。タッチセンシティブ表面７３１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ７８０に送信するとともに、プロセッサ７８０からのコマンドを受信して実行する。なお、抵抗式、容量式、赤外線式及び表面弾性波式などの様々な方式によりタッチセンシティブ表面７３１を実現することができる。入力ユニット７３０は、タッチセンシティブ表面７３１に加えて、他の入力装置７３２を更に含んでもよい。他の入力装置７３２は、物理的なキーボード、ファンクションキー（例えば、ボリュームボタン、スイッチボタン等）、トラックボール、マウス、ジョイスティック等の中の一つ又は複数を含んでもよいが、これらに限らない。
【０１２０】
表示ユニット７４０は、ユーザが入力した情報やユーザに提供する情報、及び電子デバイス７００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット７４０は、表示パネル７４１を含む。表示パネル７４１は、ＬＣＤ（ＬｉｑｕｉｄＣｒｙｓｔａｌ Ｄｉｓｐｌａｙ）、ＯＬＥＤ（ＯｒｇａｎｉｃＬｉｇｈｔ−Ｅｍｉｔｔｉｎｇ Ｄｉｏｄｅ）等の形態で構成されてもよい。更に、タッチセンシティブ表面７３１は、表示パネル７４１を覆うように設けられ、タッチセンシティブ表面７３１がその表面または付近に対するタッチ操作を検出すると、その検出の結果をプロセッサ７８０に転送してタッチイベントのタイプを確認させ、その後、プロセッサ７８０は、タッチイベントのタイプに基づいて、表示パネル７４１上に対応する視覚的出力を提供するように構成されてもよい。図８において、タッチセンシティブ表面７３１と表示パネル７４１とが２つの独立した部品として出力及び入力の機能を実現するように構成されているが、タッチセンシティブ表面７３１と表示パネル７４１とを集積構成して入力及び輸出機能を実現する実施例もあり得る。
【０１２１】
電子デバイス７００は、更に、例えば光センサー、運動センサー及び他のセンサーなどの、少なくとも１つのセンサー７５０を含んでもよい。光センサーは、環境光センサーと近接センサーを含んでもよいが、環境光センサーは、環境光の明るさに基づいて、表示パネル７４１の輝度を調整することができ、近接センサーは、電子デバイス７００が耳元まで移動すると、表示パネル７４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。電子デバイス７００には、更に、ジャイロスコープ、気圧計、湿度計、温度計、赤外線センサー等のほかのセンサーが備えられるが、ここで、その具体的な説明は省略する。
【０１２２】
オーディオ回路７６０、スピーカ７６１、マイク７６２は、ユーザと電子デバイス７００との間のオーディオインタフェースを提供する。オーディオ回路７６０は、受信したオーディオデータから変換された電気信号をスピーカ７６１に転送し、スピーカ７６１により音声信号に変換して出力する。一方、マイク７６２は、収集した音声信号を電気信号に変換し、オーディオ回路７６０が当該電気信号を受信した後オーディオデータに変換し、オーディオデータをプロセッサ７８０に転送して処理してから、ＲＦ回路７１０を介して例えば他の端末装置に転送するか、或いはオーディオデータをメモリ７２０に送信して更に処理を行うようにする。オーディオ回路７６０は、電子デバイス７００が外部のイヤホンと通信できるように、イヤホン挿入孔を含んでもよい。
【０１２３】
当該端末装置は、無線通信を実現するために、無線通信ユニット７７０を備えてもよい。当該無線通信ユニット７７０は、ＷｉＦｉモジュールであってもよい。ＷｉＦｉは近距離無線通信技術に属し、ユーザに無線のブロードバンドインターネットアクセスを提供するので、ユーザは、電子デバイス７００の無線通信ユニット７７０を利用して、電子メールの送受信、ウェブの閲覧、ストリーミングメディアのアクセス等を行なうことができる。図面において、無線通信ユニット７７０を示しているが、当該無線通信ユニット７７０は、電子デバイス７００にとって不可欠な構成ではなく、本発明の趣旨を変更しない範囲内で必要に応じて省略することができる、ことを理解すべきである。
【０１２４】
プロセッサ７８０は、電子デバイス７００の制御センターであり、各種のインタフェース及び回路を介して携帯電話全体の各部と接続され、メモリ７２０内に格納されたソフトウェアプログラム及び／又はモジュールを実行または作動させるとともに、メモリ７２０内に格納されたデータを呼び出すことによって、電子デバイス７００の各種機能の実行及びデータの処理を実現することで、携帯電話全体をコントロールする。プロセッサ７８０は、１つ又は複数の処理コアを含んでもよく、アプリプロセッサとモデムプロセッサを集積して構成されてもよい。ここで、アプリプロセッサは、主に、ＯＳ、ユーザインタフェース、及びアプリなどを処理し、モデムプロセッサは、主に、無線通信を処理する。また、上記モデムプロセッサがプロセッサ７８０に集積されなくてもよい、ことを理解すべきである。
【０１２５】
電子デバイス７００は、更に、各部に電力を供給する電源７９０（例えば、バッテリー）を含み、当該電源７９０は、電源管理システムを介してプロセッサ７８０にロジック的に接続されることにより、電源管理システムを介して充電・放電管理、及び電力管理等の機能を実現することができる。電源７９０は、更に、１つ或いは１つ以上の直流又は交流電源、再充電システム、電源故障検出回路、電源コンバータ又はインバータ、電源状態インジケータ等の任意のアセンブリを含んでもよい。
【０１２６】
電子デバイス７００は、図示してはないが、カメラ、ブルートゥースモジュール等を更に含んでもよいが、ここで、その具体的な説明は省略する。
【０１２７】
本実施例において、メモリ７２０に記憶され、一つ又は複数のプロセッサ７８０により実行される一つ又は複数のプログラムは、本発明の図３又は図４に示す実施例が提供した電池保護方法にかかる電子デバイス向けの指令を含んでいる。
【０１２８】
説明しなければいけないのは、上述した実施例が提供した電池保護装置と電子デバイスが電池の保護を実現する際、単に上述した各機能モジュールの区分を持って例を挙げて説明したが、実際の応用においては、ニーズに応じて上述の機能分配を異なる機能モジュールで完成させ、即ち、設備の内部構造を異なる機能モジュールに区分することによって、上述した全部又は一部の機能を完成させることができる。また、上述した実施例が提供する電池保護装置と電子デバイスは電池保護方法の方法の実施例と同じ構想に属し、その具体的な実現過程は方法の実施例を参照し、ここでは繰り返し述べない。
【０１２９】
なお、典型的には、本発明に記載のモバイル端末は、例えば携帯電話、パーソナルディジタルアシスタント（ＰＤＡ）等の各種の手持ち端末装置であってもよいため、本発明の保護範囲をある特定タイプのモバイル端末に限定すべきではない。
【０１３０】
なお、本発明に係る方法は、更に、ＣＰＵにより実行されるコンピュータプログラムとしても実現されることができる。該コンピュータプログラムはコンピュータ読み取り可能な記憶媒体に記憶させることができる。該コンピュータプログラムがＣＰＵにより実行されると、本発明の方法において限定される上述の機能が実現される。
【０１３１】
なお、上記の方法の各ステップ及びシステム要素は、コントローラ、及びコントローラに上記のステップ又は要素の機能を実現させるコンピュータプログラムを記録するためのコンピュータ読取り可能な記録媒体によりも実現されることができる。
【０１３２】
なお、当業者であれば、本発明に記載のコンピュータ読取り可能な記録媒体（例えば、メモリ）は、揮発性メモリまたは不揮発性メモリのいずれかであってもよく、あるいは、揮発性メモリ及び不揮発性メモリの両方を備えてもよいことを理解すべきである。例えば、不揮発性メモリには、ＲＯＭ（ＲｅａｄＯｎｌｙ Ｍｅｍｂｅｒ）、ＰＲＯＭ（ＰｒｏｇｒａｍｍａｂｌｅＲＯＭ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、又はフラッシュメモリが含まれてもよく、揮発性メモリには、外部のキャッシュメモリとして機能するＲＡＭ（ＲａｎｄｏｍＡｃｃｅｓｓ Ｍｅｍｏｒｙ）が含まれてもよいが、両方ともこれに限定されるものではない。例えば、ＲＡＭは、ＳＲＡＭ(ｓｙｎｃｈｒｏｎｏｕｓ ＲＡＭ）、ＤＲＡＭ（Ｄｙｎａｍｉｃ ＲＡＭ）、ＳＤＲＡＭ（ＳｙｎｃｈｒｏｎｏｕｓＤｙｎａｍｉｃ ＲＡＭ）、ＤＤＲ ＳＤＲＡＭ（Ｄｏｕｂｌｅ−Ｄａｔａ−Ｒａｔｅ ＳＤＲＡＭ）、ＥＳＤＲＡＭ（ＥｎｈａｎｃｅｄＳＤＲＡＭ）、ＳＬＤＲＡＭ（Ｓｙｎｃｈｒｏｎｏｕｓ ｌｉｎｋ ＲＡＭ）及びＤＲＲＡＭ（Ｄｉｒｅｃｔ Ｒａｍｂｕｓ ＲＡＭ）などの多くの形式により実現可能であるが、これに限定されるものではない。ここで上記の記録媒体を開示するのは、本発明の保護範囲にこれらの記録媒体及び他の適したタイプの記録媒体を含ませるためであって、これらのみに限定されないことを意図する。
【０１３３】
当業者は、更に、本発明に記載の種々の例示的な論理ブロック、モジュール、回路、及びアルゴリズムステップが、電子ハードウェア、コンピュータソフトウェア、又は両者の組み合わせにより実現され得る、ことを理解すべきである。ハードウェアとソフトウェアの間のこのような互換性を明確に説明するために、種々の例示的なコンポーネント、ブロック、モジュール、回路、及びステップの機能について、以上において通常的な説明を行っている。このような機能が、ソフトウェアにより実現されるか、又は、ハードウェアにより実現されるかは、具体的なアプリ、及びシステム全体に課される設計上の制約により選択される。当業者は、具体的なアプリそれぞれにおいて、様々な方式を選択して前記機能を実現してもよく、このような選択は、本発明の範囲を逸脱したものとして解釈されるべきではない。
【０１３４】
以上の開示内容に結び付けられて説明される種々の例示的な論理ブロック、モジュール、及び回路は、上述の機能を行なうように設計された汎用プロセッサ、ＤＳＰ（ＤｉｇｉｔａｌＳｉｇｎａｌ Ｐｏｃｅｓｓｏｒ）、特定用途向け集積回路（ＡＳＩＣ）、ＦＰＧＡ（Ｆｉｅｌｄ−ｐｒｏｇｒａｍｍａｂｌｅＧａｔｅ Ａｒｒａｙ）または他のプログラム可能な論理デバイス、ディスクリートゲートまたはトランジスタロジック、ディスクリートハードウェアコンポーネント、或いは、これら部材の任意の組み合わせによって、実現又は実行されることができる。汎用プロセッサは、マイクロプロセッサであってもよいが、マイクロプロセッサの代わりに、プロセッサは任意の従来のプロセッサ、コントローラ、マイクロコントローラ、又は状態機械であってもよい。プロセッサは、例えば、ＤＳＰとマイクロプロセッサの組み合わせ、複数のマイクロプロセッサ、ＤＳＰコアと１つ又は複数のマイクロプロセッサの組み合わせ、或いは任意のこのような他の構成といった、コンピューティングデバイスの組み合わせとして実現されてもよい。
【０１３５】
以上の開示内容に結び付けられて説明される方法、又は、アルゴリズムのステップは、ハードウェア、プロセッサによって実行されるソフトウェアモジュール、又はこの両者の組合せに直接的に含まれる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該分野において公知の他の形態で存在する任意の記憶媒体に格納されてもよい。例示的な記憶媒体は、プロセッサが記憶媒体から情報を読み出すことができ、且つ、プロセッサが記憶媒体に情報を書き込むことができるように、プロセッサに結合される。代案として、前記記憶媒体はプロセッサと一体的に集積されてもよい。プロセッサと記憶媒体はＡＳＩＣに格納されてもよい。ＡＳＩＣはユーザ端末に格納されてもよい。代案として、プロセッサと記憶媒体は別個のコンポーネントとしてユーザ端末に格納されてもよい。
【０１３６】
１つ又は複数の例示的な設計として、前記機能はハードウェア、ソフトウェア、ファームウェア又はこれらの任意の組み合わせによって実現されることができる。ソフトウェアにより実現される場合、前記機能を１つ又は複数の指令、又はコードとしてコンピュータ読取り可能な媒体に記憶するか、又は、コンピュータ読取り可能な媒体を用いて伝送する。コンピュータ読取り可能な媒体は、コンピュータ記憶媒体及び通信媒体を含み、該通信媒体には、コンピュータプログラムを１つの位置から他の位置へ伝送するための任意の媒体が含まれる。記憶媒体は、汎用又は専用コンピュータによりアクセス可能な任意の使用可能媒体であり得る。例として、当該コンピュータ読取り可能な媒体は、ＲＡＭ、ＲＯＭ、ＥＥＰＲＯＭ、ＣＤ−ＲＯＭ又は他の光ディスク記憶デバイス、ディスク記憶デバイス又は他の磁性記憶デバイスを含んでもよく、或いは、携帯できるもの、又は記憶形態が指令又はデータ構造である必要なプログラムコードを記憶するためのもので、且つ、汎用又は専用コンピュータ或いは汎用又は専用プロセッサアクセスによりアクセス可能な任意の他の媒体であり得るが、これに限定されるものではない。なお、任意の接続であっても、コンピュータ読取り可能な媒体として称されることができる。例えば、同軸ケーブル、光ファイバケーブル、ツイストペア、デジタル加入者回線（ＤＳＬ）、又は、赤外線、ワイヤレス及びマイクロ波のような無線技術を用いて、ウェブサイト、サーバ又は他のリモートソースからソフトウェアを送信する場合、上記の同軸ケーブル、光ファイバケーブル、ツイストペア、ＤＳＬ、又は、赤外線、ワイヤレス及びマイクロ波のような無線技術の何れもが媒体の定義に含まれる。以上の磁気ディスク及び光ディスクは、ＣＤ（ｃａｍｐａｃｔｄｉｓｋ）、レーザーディスク（登録商標）、光ディスク、ＤＶＤ（ｄｉｇｉｔａｌ ｖｅｒｓａｔｉｌｅ ｄｉｓｃ）、フロッピー（登録商標）・ディスク、ブルーレイディスクを含み、磁気ディスクは、通常磁性を利用してデータの再生を行なうものであり、光ディスクは、レーザ光を用いて光学的にデータの再生を行なうものである。また、以上の構成の組合わせもコンピュータ読取り可能な媒体の範囲に含まれるべきである。
【０１３７】
以上の開示内容により、本発明の実施例を例示的に示しているが、請求項により限定される本発明の範囲を逸脱しない限り、多種の変更及び修正を行うことができる。以上に開示された実施例に基づく方法請求項の機能、ステップ及び／又はジェスチャーは、ある特定の手順で実行する必要はない。なお、本発明に係る要素は、個体として記載又は要求されているが、単数であると明確に限定されていない限り、複数であってもよい。
【０１３８】
また、理解すべきことは、上下の文書ではっきりと例外的な状況を支持するものでない限り、本文において使用した、単数形式「一つ」（「a」、「an」、「the」）は複数形式も含んでいる。また、理解すべきことは、本文において使用した「及び／又は」は一つ又は複数の互いに関連する、列記された項目の任意の全て可能な組み合わせを含むことを指す。
【０１３９】
また、上述した本発明の実施例の番号は説明のためのものに過ぎず、実施例の優劣を表すものではない。
【０１４０】
また、当業者は、上述した実施例を実現する全部又は一部のステップは、ハードウェアを通じて完成してもよく、またプログラムによって関連するハードウェアに命令して完成してもよく、前記プログラムは一種のコンピュータ読み取り可能な記憶媒体に記憶され、上述した記憶媒体は読み出し専用メモリ、磁気ディスク又は光ディスク等でもよいと理解できる。
【０１４１】
上述の内容は本発明の比較的好ましい実施例のためのものであり、本発明を限定するものでなく、本発明の主旨及び原則の枠組み内でなされた全ての修正、均等な置換、改良等はいずれも本発明の保護範囲内に含まれなければならない。
【図１】
0005987121.tif 000002
【図２】
0005987121.tif 000003
【図３】
0005987121.tif 000004
【図４】
0005987121.tif 000005
【図５】
0005987121.tif 000006
【図６】
0005987121.tif 000007
【図７】
0005987121.tif 000008
【図８】
0005987121.tif 000009